(57)【要約】  ＰＵＣＣＨの無線リソースの不足を防止するとともに優先度の高い通信の中断を防止できるよう、通信システム１は、移動局１０における受信品質及び受信した通話の復号結果を含むフィードバック情報の送信要否を決定するための条件であるフィードバック条件を、通話の優先度に応じて制御するフィードバック条件制御部２２と、フィードバック情報に基づき移動局１０との通信の制御を行う制御部２１と、を有するｅＮＢ２０と、移動局自身の優先度を設定する優先度設定部１３と、ｅＮＢ２０からのリファレンス信号の受信品質を測定する受信品質測定部１１と、フィードバック条件に基づいてフィードバック情報の送信要否を判断するフィードバック要否判断部１２と、を有する移動局１０と、を有している。
2018139365.tif 000002
【特許請求の範囲】
【請求項１】
移動局と基地局との間で通信を行う通信システムにおいて、
前記基地局は、
前記移動局における受信品質及び受信した通話の復号結果を含むフィードバック情報の送信要否を前記移動局が決定するための条件であるフィードバック条件を、前記通話の優先度に応じて制御するフィードバック条件制御手段と、
前記フィードバック情報に基づき前記移動局との通信の制御を行う制御手段と、を有し、
前記移動局は、
前記移動局自身の優先度を設定する優先度設定手段と、
基地局から送信されたリファレンス信号の受信品質を測定する受信品質測定手段と、
前記フィードバック条件を前記基地局から受信し、前記フィードバック条件に基づいて前記フィードバック情報の送信要否を判断するフィードバック要否判断手段と、を有する、
通信システム。
【請求項２】
前記移動局自身の優先度は、Ａｃｃｅｓｓ  Ｃｌａｓｓ、Ｐａｒｔｉｃｉｐａｎｔ  ｔｙｐｅ、Ｅｍｅｒｇｅｎｃｙ  Ｉｎｄｉｃａｔｏｒのすくなくとのいずれかひとつを含む情報であることを特徴とする請求項１に記載の通信システム。
【請求項３】
移動局における受信品質及び受信した通話の復号結果を含むフィードバック情報の送信要否を前記移動局が決定するための条件であるフィードバック条件を、前記通話の優先度に応じて制御するフィードバック条件制御手段と、
前記フィードバック情報に基づき前記移動局との通信の制御を行う制御手段と、
を有する基地局。
【請求項４】
前記フィードバック条件は、前記移動局の優先度に対し前記フィードバック情報の送信要否を示す、請求項３に記載の基地局。
【請求項５】
前記フィードバック条件制御手段は、送話者である移動局の優先度に応じて前記フィードバック条件を制御する、請求項３又は４に記載の基地局。
【請求項６】
移動局自身の優先度を設定する優先度設定手段と、
基地局から送信されたリファレンス信号の受信品質を測定する受信品質測定手段と、
前記受信品質及び受信した通話の復号結果を含むフィードバック情報を送信するかを決定するための条件であるフィードバック条件を前記基地局から受信し、前記フィードバック条件に基づいて前記フィードバック情報の送信要否を判断するフィードバック要否判断手段と、
を有する移動局。
【請求項７】
前記受信品質の変動の大きさを算出する変動算出手段を有し、
前記フィードバック要否判断手段は、前記変動の大きさを考慮して前記フィードバック情報の送信要否を判断する、請求項６に記載の移動局。
【請求項８】
前記フィードバック要否判断部は、前記フィードバック条件に合致しない場合でも、前記変動の大きさが所定の閾値より大きい場合には前記フィードバック情報を送信する、付記７に記載の移動局。
【請求項９】
前記変動算出手段は、前記移動局の移動速度を算出し、
前記フィードバック要否判断手段は、前記移動速度を考慮して前記フィードバック情報の送信要否を判断する、請求項６又は７に記載の移動局。
【請求項１０】
移動局における受信品質及び受信した通話の復号結果を含むフィードバック情報の送信要否を前記移動局が決定するための条件であるフィードバック条件を、前記通話の優先度に応じて制御し、前記フィードバック情報に基づき前記移動局との通信の制御を行う、
基地局の通信方法。
【請求項１１】
移動局自身の優先度を設定し、
基地局から送信されたリファレンス信号の受信品質を測定し、
前記受信品質及び受信した通話の復号結果を含むフィードバック情報の送信要否を決定するための条件であるフィードバック条件を前記基地局から受信し、前記フィードバック条件に基づいて前記フィードバック情報の送信要否を判断する、
移動局の通信方法。
【発明の詳細な説明】
【技術分野】
【０００１】
本発明は、通信システム、基地局、移動局及び通信方法に関し、特に、複数の移動局とグループ通信を行う通信システム、基地局、移動局及び通信方法に関する。
【背景技術】
【０００２】
ＬＴＥ方式の無線通信アーキテクチャにおいて複数の移動局と通話を行うグループ通信の実現方法には、送話者が、複数の移動局と共通の無線リソースで通信を行うマルチキャストマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳという）を行う方法がある。例えば、特許文献１にマルチキャストマルチメディア放送サービスを行う移動通信システムが開示されている。【０００３】
特許文献１に開示されている移動通信システムは、放送をするために基地局が複数の使用者端末機の送信電力を制御するために、複数の使用者端末機から各使用者端末機のチャネル品質情報を受信する。そして、移動通信システムは、複数の使用者端末機から受信されたチャネル品質情報中、一番劣悪なチャネル品質情報に基づいて基地局の送信電力を増加、または減少して基地局の送信電力を制御する。ＭＢＭＳにおけるシーケンスでは、移動局は、基地局（ｅＮＢ：ｅｖｏｌｖｅｄ  Ｎｏｄｅ  Ｂ）が常に送信するリファレンス信号を受信する。移動局は、定期的に、受信する下りのリファレンス信号から測定した受信品質（Ｃｈａｎｎｅｌ  Ｑｕａｌｉｔｙ  Ｉｎｄｉｃａｔｏｒ、以下、ＣＱＩという）をｅＮＢにフィードバックする。移動局は、それぞれ異なるＰＵＣＣＨ（Ｐｈｙｓｉｃａｌ  Ｕｐｌｉｎｋ  Ｃｏｎｔｒｏｌ  Ｃｈａｎｎｅｌ）でｅＮＢにフィードバックする。全ての移動局から受信したＣＱＩをもとに、最も品質が悪い移動局に合わせてＰＭＣＨ（Ｐｈｙｓｉｃａｌ  Ｍｕｌｔｉｃａｓｔ  Ｃｈａｎｎｅｌ）またはＰＤＳＣＨ（Ｐｈｙｓｉｃａｌ  Ｄｏｗｎｌｉｎｋ  Ｓｈａｒｅｄ  Ｃｈａｎｎｅｌ）のＭＣＳを決定する。ＭＣＳとは、変調方法と誤り訂正のコーディングレートの組み合わせをいう。【０００４】
また他に送話者が移動局それぞれといわゆるユニキャストにより異なる無線リソースで通信を行う方法がある。ユニキャストにおいても、移動局は、基地局（ｅＮＢ：ｅｖｏｌｖｅｄ  Ｎｏｄｅ  Ｂ）が常に送信するリファレンス信号を受信し、定期的に、移動局が受信する下りのリファレンス信号から測定したＣＱＩを異なるＰＵＣＣＨ（Ｐｈｙｓｉｃａｌ  Ｕｐｌｉｎｋ  Ｃｏｎｔｒｏｌ  Ｃｈａｎｎｅｌ）でｅＮＢにフィードバックする。ｅＮＢは、移動局毎のＣＱＩをもとに、それぞれの移動局に送信するＰＤＳＣＨのＭＣＳ（Ｍｏｄｕｌａｔｉｏｎ  ａｎｄ  Ｃｏｄｉｎｇ  Ｓｃｈｅｍｅ）を決定する。【０００５】
グループ通信が送話者から発信されるとｅＮＢは、受話者である移動局に、決定したＭＣＳを用いて、グループ通信の通話を送信する。移動局は、グループ通信の通話を受信すると、受信した通話を復号する。移動局は、復号結果であるＡｃｋ（Ａｃｋｎｏｗｌｅｄｇｅｍｅｎｔ）／Ｎａｃｋ（Ｎｏｎ−ａｃｋｎｏｗｌｅｄｇｅｍｅｎｔ）をすべての移動局が異なるＰＵＣＣＨでｅＮＢにフィードバックする。ｅＮＢは、すべての移動局からのＡｃｋ／Ｎａｃｋをもとに再送すべきか判断する。例えばｅＮＢは、所定の台数以上の移動局からＮａｃｋを受信した場合、再送を行う。【０００６】
このようにグループ通信では、すべての移動局がＣＱＩやＡｃｋ／ＮａｃｋをＰＵＣＣＨでフィードバックする。このため、移動局数と同数のＰＵＣＣＨが必要になりＰＵＣＣＨの無線リソースが不足する。またｅＮＢは、全ての移動局に対し、ＰＵＣＣＨの無線リソース割り当て処理や、ＰＵＣＣＨの受信処理が必要になる。【０００７】
この課題を解決するために、フィードバック条件を満たす移動局のみがフィードバックを行うように制御する移動通信システムが、例えば特許文献２において提案されている。特許文献２の移動通信システムは、移動局が、同一の下りリンク無線リソースを使用してｅＮＢから複数の移動局に送信されるマルチキャスト／ブロードキャストデータを受信する受信部を備える。また特許文献２の移動通信システムは、移動局が、ｅＮＢとの間の無線状態が閾値よりも悪い場合、下りリンクに関するフィードバック情報をｅＮＢに送信する送信部と、無線状態が閾値よりも良い場合、フィードバック情報の送信を停止する制御部と、を備える。
【先行技術文献】
【特許文献】
【０００８】
【特許文献１】特開２００３−１８８８１８号公報
【特許文献２】国際公開第２０１６／１２１５６７号
【発明の概要】
【発明が解決しようとする課題】
【０００９】
出動している消防車のグループでグループ通信を行う場合、出動している消防車のグループは各端末がほとんど移動中となることが考えられる。したがって、無線状態の変動が大きくある。特許文献１及び特許文献２に開示の移動通信システムは、緊急通信などや移動局の優先度が高いグループ通信であることは考慮されず、無線状態が閾値よりも良い場合にはフィードバック情報の送信が停止される構成となっている。したがって、ｅＮＢがＣＱＩを受信した直後に移動局との間の無線状態が大きく変動した場合は、次のＣＱＩにより帯域が調整されるまでグループ通信が中断するおそれがある。【００１０】
本発明の目的は、ＰＵＣＣＨの無線リソースの不足を防止するとともに重要度の高いグループ通信の中断を防止できる通信システム、基地局、移動局及び通信方法を提供することにある。
【課題を解決するための手段】
【００１１】
本発明の１側面による通信システムは、移動局と基地局との間で通信を行う通信システムであって、前記基地局は、前記移動局における受信品質及び受信した通話の復号結果を含むフィードバック情報の送信要否を前記移動局が決定するための条件であるフィードバック条件を、前記通話の優先度に応じて制御するフィードバック条件制御部と、前記フィードバック情報に基づき前記移動局との通信の制御を行う制御部と、を有し、前記移動局は、自身の優先度を設定する優先度設定部と、基地局から送信されたリファレンス信号の受信品質を測定する受信品質測定部と、前記フィードバック条件を前記基地局から受信し、前記フィードバック条件に基づいて前記フィードバック情報の送信要否を判断するフィードバック要否判断部と、を有している。【００１２】
本発明の１側面による基地局は、移動局における受信品質及び受信した通話の復号結果を含むフィードバック情報を送信するかを、前記移動局が決定するための条件であるフィードバック条件を、前記通話の優先度に応じて制御するフィードバック条件制御部と、前記フィードバック情報に基づき前記移動局との通信の制御を行う制御部と、を有している。【００１３】
本発明の１側面による移動局は、自身の優先度を設定する優先度設定部と、基地局から送信されたリファレンス信号の受信品質を測定する受信品質測定部と、前記受信品質及び受信した通話の復号結果を含むフィードバック情報を送信するかを決定するための条件であるフィードバック条件を前記基地局から受信し、前記フィードバック条件に基づいて前記フィードバック情報の送信要否を判断するフィードバック要否判断部と、を有している。【００１４】
また本発明の１側面による基地局の通信方法は、移動局における受信品質及び受信した通話の復号結果を含むフィードバック情報を送信するかを、前記移動局が決定するための条件であるフィードバック条件を、前記通話の優先度に応じて制御し、前記フィードバック情報に基づき前記移動局との通信の制御を行う。【００１５】
また本発明の１側面による移動局の通信方法は、自身の優先度を設定し、基地局から送信されたリファレンス信号の受信品質を測定し、前記受信品質及び受信した通話の復号結果を含むフィードバック情報を送信するかを決定するための条件であるフィードバック条件を前記基地局から受信し、前記フィードバック条件に基づいて前記フィードバック情報の送信要否を判断する。
【発明の効果】
【００１６】
本発明によれば、ＰＵＣＣＨの無線リソースの不足を防止するとともに優先度の高いグループ通信の中断を防止できる通信システム、基地局、移動局及び通信方法を提供することができる。
【図面の簡単な説明】
【００１７】
【図１】図１は、第１の実施形態の構成を示すブロック図である。
【図２】図２は、図１の優先度設定部が設定するアクセスクラスの一例を示す表である。
【図３】図３は、図１の優先度設定部が設定するユーザタイプの一例を示す表である。
【図４】図４は、図１の優先度設定部が設定する通話の優先度の一例を示す表である。
【図５】図５は、フィードバック条件の一例を示す表である。
【図６】図６は、受信信号に含まれる通話の優先度が高い場合のフィードバック条件の一例を示す表である。
【図７】図７は図１のフィードバック条件通知の動作を示すフローチャートである。
【図８】図８は図１のフィードバック条件通知後の動作を示すフローチャートである。
【図９】図９は第２の実施形態の構成を示すブロック図である。
【図１０】図１０は図９のフィードバック条件通知後の動作を示すフローチャートである。
【図１１】図１１は、図９の変形例のＣＱＩ送信の動作を示すフローチャートである。
【発明を実施するための形態】
【００１８】
以下、本発明の通信装置について図面を参照して説明する。図１は、本発明の第１の実施形態の通信装置の構成を示すブロック図である。図１に示すように本実施形態の通信システム１の移動局１０は、受信品質測定部１１と、フィードバック要否判断部１２と、優先度設定部１３と、を備えている。また本実施形態の通信システム１の基地局（ｅＮＢ）２０は、制御部２１と、フィードバック条件制御部２２を備えている。
【００１９】
ｅＮＢ２０のフィードバック条件制御部２２は、フィードバック条件を移動局１０に通知し、条件を満たす移動局１０のみがフィードバックするように制御する。フィードバック条件は、受信品質（ＣＱＩ：Ｃｈａｎｎｅｌ  Ｑｕａｌｉｔｙ  Ｉｎｄｉｃａｔｏｒ）と、受信した通話の復号結果であるＡｃｋ（Ａｃｋｎｏｗｌｅｄｇｅｍｅｎｔ）／Ｎａｃｋ（Ｎｏｎ−ａｃｋｎｏｗｌｅｄｇｅｍｅｎｔ）をフィードバックさせる移動局を示す。端末がＭＩＭＯ（Ｍｕｌｔｉｐｌｅ  Ｉｎｐｕｔ  Ｍｕｔｉｐｌｅ  Ｏｕｔｐｕｔ）の受信に対応していれば、受信品質には、ＰＭＩ（Ｐｒｅｃｏｄｉｎｇ  Ｍａｔｒｉｘ  Ｉｎｄｉｃａｔｏｒ）やＲＩ（Ｒａｎｋ  Ｉｎｄｉｃａｔｏｒ）なども含まれる。なお、予め移動局にフィードバック条件が設定されていてもよい。
【００２０】
移動局１０の受信品質測定部１１は、ｅＮＢ２０が常に送信するリファレンス信号を受信しＣＱＩを測定する。フィードバック要否判断部１２は、ｅＮＢ２０から通知されるフィードバック条件に基づいて自局がフィードバック情報を送信する移動局であるか判断し、フィードバック情報を送信する移動局である場合、受信品質測定部１１が測定したＣＱＩをｅＮＢ１０に送信する。
【００２１】
ｅＮＢ２０の制御部２１は、全ての移動局に共通の無線リソースを使用するが、ＭＢＭＳの方式により使用する物理チャネルは異なる。ＭＢＳＦＮの場合は、ＰＭＣＨを使用し、ＳＣ−ＰＴＭの場合は、ＰＤＳＣＨを使用する。ここでＳＣ−ＰＴＭとは、３ＧＰＰ（３ｒｄ  Ｇｅｎｅｒａｔｉｏｎ  Ｐａｒｔｎｅｒｓｈｉｐ  Ｐｒｏｊｅｃｔ）  Ｒｅｌｅａｓｅ１３において仕様化された１セル内で複数端末へ同報する機能をいう。ＭＢＳＦＮとは、３ＧＰＰ  Ｒｅｌｅａｓｅ９以降において仕様化された複数のｅＮＢが同一信号を一斉に同期送信する機能をいう。
【００２２】
ｅＮＢ２０の制御部２１は、ＣＱＩをもとに、最も品質が悪い移動局に合わせて、ＭＣＳ（Ｍｏｄｕｌａｔｉｏｎ  ａｎｄ  Ｃｏｄｉｎｇ  Ｓｃｈｅｍｅ）を決定する。制御部２１は、ＭＢＭＳにおけるシーケンスでは、ＰＭＣＨ（Ｐｈｙｓｉｃａｌ  Ｍｕｌｔｉｃａｓｔ  Ｃｈａｎｎｅｌ）またはＰＤＳＣＨ（Ｐｈｙｓｉｃａｌ  Ｄｏｗｎｌｉｎｋ  Ｓｈａｒｅｄ  Ｃｈａｎｎｅｌ）のＭＣＳを決定する。ＭＣＳとは、変調方法と誤り訂正のコーディングレートの組み合わせをいう。変調方法としては、例えばＱＰＳＫ，１６ＱＡＭ，６４ＱＡＭがある。またｅＮＢ２０の制御部２１は、ＣＱＩをもとに、送信するデータ量と送信に使用する無線リソース（ＲＢ：Ｒｅｓｏｕｒｃｅ  Ｂｌｏｃｋ）を制御する。グループ通信が送話者から発信されるとｅＮＢ２０の制御部２１は、受話者である移動局に、決定したＭＣＳを用いて、グループ通信の通話を送信する。
【００２３】
移動局１０のフィードバック要否判断部１２は、グループ通信の通話を受信すると、受信した通話を復号する。フィードバック要否判断部１２は、自局がフィードバック情報を送信する移動局である場合、ｅＮＢ２０から通話を受信すると、受信した通話の復号結果であるＡｃｋ（Ａｃｋｎｏｗｌｅｄｇｅｍｅｎｔ）／Ｎａｃｋ（Ｎｏｎ−ａｃｋｎｏｗｌｅｄｇｅｍｅｎｔ）をｅＮＢ１０にフィードバックする。
【００２４】
ユニキャストのシーケンスでも、移動局１０のフィードバック要否判断部１２は、自局がフィードバック情報を送信する移動局である場合、下りのリファレンス信号から測定した受信品質（ＣＱＩ）と、受信した通話の復号結果であるＡｃｋ／Ｎａｃｋを含むフィードバック情報をｅＮＢ２０に送信する。
【００２５】
ｅＮＢ２０の制御部２１は、移動局１０からのＡｃｋ／Ｎａｃｋをもとに、グループ通信の通話の再送制御を行う。
【００２６】
本実施形態の移動局１０に備えられる優先度設定部１３は、グループ通信を送話する場合に、送話の送信信号に移動局１０の優先度を含める。移動局の優先度は、例えば、移動局１０に搭載されるＳＩＭカードに設定するアクセスクラス（Ａｃｃｅｓｓ  Ｃｌａｓｓ）や、移動局１０を使用するユーザのユーザタイプである。図２は、図１の優先度設定部が設定するアクセスクラスの一例を示す表である。図３は、図１の優先度設定部が設定するユーザタイプの一例を示す表である。なお、ユーザタイプは、３ＧＰＰ  ＴＳ２３．１７９ Ｂ３（ＭＣＰＴＴ  ｕｓｅｒ  ｐｒｏｆｉｌｅ  ｄａｔａ）に記載のＭＣＰＴＴ  ｕｓｅｒ  ｐｒｏｆｉｌｅ  ｄａｔａや、Ｂ４（Ｇｒｏｕｐ  Ｃｏｎｆｉｇｕｒａｔｉｏｎ  ｄａｔａ）に記載のＬｉｓｔ  ｏｆ  Ｇｒｏｕｐ  ｍｅｍｂｅｒｓなどに含まれるＰａｒｔｉｃｉｐａｎｔ  ｔｙｐｅに対応する情報である。Ｐａｒｔｉｃｉｐａｎｔ  ｔｙｐｅは、ＭＣＰＴＴ（Ｍｉｓｓｉｏｎ  Ｃｒｉｔｉｃａｌ  Ｐｕｓｈ  Ｔｏ  Ｔａｌｋ）  Ａｄｍｉｎｉｓｔｒａｔｏｒ等の装置により、ｅＮＢ経由またはｅＮＢを介さずに、ＬＴＥのコアネットワークに接続するＭＣＰＴＴ  ｕｓｅｒ  ｐｒｏｆｉｌｅ  ｄａｔａを管理するユーザ情報管理サーバーに保存される情報である。さらに、Ｐａｒｔｉｃｉｐａｎｔ  ｔｙｐｅの情報は、ユーザ情報管理サーバーから、移動局１０などに通知され、移動局１０における優先度設定部１３において設定される。
【００２７】
また優先度設定部１３は、移動局１０がグループ通信を送信する場合に、送話の送信信号に通話の優先度も含める。図４は図１の優先度設定部が設定する通話の優先度の一例を示す表である。通話の優先度は、その通話がたとえば１１０番や１１９番などの緊急通信であるかを示す優先度などをいう。優先度設定部１３は、例えば、１１９番、１１０番などの緊急通信などでは高い緊急度とする。なお、通話の優先度は、３ＧＰＰ  ＴＳ２３．１７９  １０．６．２．２．１  （ＭＣＰＴＴ  ｅｍｅｒｇｅｎｃｙ  ｇｒｏｕｐ  ｃａｌｌｒｅｑｕｅｓｔ）に記載のＥｍｅｒｇｅｎｃｙ  Ｉｎｄｉｃａｔｏｒなどに対応する。
【００２８】
フィードバック条件制御部２２は、送話者である移動局１０からの送信信号を受信すると、図２及び図３に示す送話者である移動局１０の優先度及び図４に示す通話の優先度に応じてフィードバック条件を制御する。フィードバック条件制御部２２は、例えば、通話の優先度及び送話者である移動局１０の優先度に応じて、異なるフィードバック条件を設定しておく。
【００２９】
フィードバック条件制御部２２は、通話の優先度及び送話者である移動局１０の優先度に応じたフィードバック条件を移動局１０に送信する。フィードバック条件制御部２２は、例えば、通話の優先度が高い送信信号について受話者に送信するフィードバック条件は、全ての移動局１０にフィードバックさせるフィードバック条件とし、低い場合は、優先度に応じた一部のアクセスクラスやユーザタイプの移動局のみにフィードバックさせるフィードバック条件とする。
【００３０】
フィードバック条件は、移動局１０の優先度に対しフィードバック要否を示す。移動局の優先度は、例えば、図３に示すアクセスクラスと図４に示すユーザタイプの組み合わせとしてよい。図５は、フィードバック条件の一例を示す表である。図５において、○はフィードバックすることを示し、×はフィードバック不要であることを示している。図５に示すように、各アクセスクラスについて、すべてのユーザタイプがフィードバック不要としたり、一部のユーザタイプについてフィードバック不要としたり、すべてのユーザタイプがフィードバックすると設定してよい。また１つのアクセスクラス内のグループ通信であれば、特定のアクセスクラス以外はすべてフィードバック不要とし、特定のアクセスクラスのすべてのユーザタイプがフィードバックするよう設定してもよい。
【００３１】
また図６は、受信信号に含まれる通話の優先度が高い場合のフィードバック条件の一例を示す表である。図６に示すように、例えば、通話の優先度が高い場合には、すべてのアクセスクラスのすべてのユーザタイプについてフィードバックすると設定してもよい。
【００３２】
なお図５、図６には、各ユーザタイプについてそれぞれフィードバックの要否を示すフィードバック条件の例を示したが、これに限らない。ユーザタイプを数値とし、フィードバック条件は、各アクセスクラスとフィードバックさせるユーザタイプの数値とを対応させた表としてもよい。例えばシステム管理者は「１」、指令台管理者は「２」、指令者は「３」、第１対応者は「４」、第２対応者は「５」とする。例えば図５に示すように「水道事業者、ガス事業者」のアクセスクラスにおいては、システム管理者、指令台管理者のみにフィードバックさせる場合、そのアクセスクラスに対応するフィードバック条件として「１、２」が設定されてもよい。
【００３３】
また数字が小さいほど優先度が高くなるようにし、各アクセスクラスと、フィードバックさせるユーザタイプの最大の数値とを対応させた表としてもよい。上記と同様に「水道事業者ガス事業者」のアクセスクラスにおいては、システム管理者、指令台管理者のみにフィードバックさせる場合、そのアクセスクラスに対応するフィードバック条件として「２」が設定されてもよい。
【００３４】
次に本実施形態の動作について説明する。図７は図１のフィードバック条件通知の動作を示すフローチャートである。フィードバック条件制御部２２は、送話者からグループ通信の送話を受信すると、図２及び図３に示す送話者である移動局１０の優先度及び図４に示す通話の優先度に応じて制御したフィードバック条件を図７に示すように移動局１０に送信する。
【００３５】
通話をグループ通信の受話者である移動局に送信するとき、ｅＮＢ２０のフィードバック条件制御部２２が、まずすべての受話者が受信可能となるようＰＭＣＨまたはＰＤＳＣＨのＭＣＳを決定し、またすべての受話者がフィードバックするよう制御したフィードバック条件を設定し、受話者である移動局１０に通知する（ステップＳ１）。
【００３６】
受話者である移動局１０は、通知されたフィードバック条件を受信し、フィードバック要否判断部１２に設定する（ステップＳ２）。
【００３７】
次にｅＮＢ２０がリファレンス信号を送信すると（ステップＳ３）、すべての受話者である移動局１０がＣＱＩを測定し（ステップＳ４）、フィードバック条件に基づきすべての受話者である移動局１０がフィードバック情報を送信する（ステップＳ５）。
【００３８】
ｅＮＢ２０の制御部２１は、すべての受話者である移動局１０から受信したフィードバック情報に基づいてグループ通信の通話を送信するのに用いるＭＣＳを決定する（ステップＳ６）。
【００３９】
フィードバック条件制御部２２が、その後に送信するグループ通信の通話の優先度を確認し、送信する通話の優先度に基づいてフィードバック条件を設定する（ステップＳ７）。そして、フィードバック条件制御部２２が、受話者の優先度に応じた閾値を含むフィードバック条件を通知する（ステップＳ８）。受話者である移動局１０は、通知されたフィードバック条件をフィードバック要否判断部１２に設定する（ステップＳ９）。
【００４０】
図８は図１のフィードバック条件通知後の動作を示すフローチャートである。
【００４１】
ステップＳ８において受話者である移動局１０の優先度に応じた閾値を含むフィードバック条件が受話者である移動局１０に通知され、ステップＳ９において移動局１０が、通知されたフィードバック条件をフィードバック要否判断部１２に設定する。その後、ｅＮＢ２０がリファレンス信号を送信すると（ステップＳ１０）、受話者である移動局１０がＣＱＩを測定する（ステップＳ１１）が、移動局１０のフィードバック要否判断部１２が、優先度設定部１３に設定されている自身の優先度を参照し、フィードバックを行うか判断する（ステップＳ１２）。ステップＳ１２においてフィードバック条件に合致すると判断した場合、ステップＳ１１において測定したＣＱＩを送信し（ステップＳ１３）、合致しない場合は送信しない。ｅＮＢ２０の制御部２１は、フィードバック条件に合致した移動局１０から受信したＣＱＩに基づいてＭＣＳを決定する（ステップＳ１４）。その後、ｅＮＢ２０の制御部２１は、通話を受話者である移動局１０に対して送信する（ステップＳ１５）。
【００４２】
通話を受信した受話者である移動局１０は、通話を復号する（ステップＳ１６）が、移動局１０のフィードバック要否判断部１２が、優先度設定部１３に設定されている優先度を参照し、フィードバックを行うか判断する（ステップＳ１７）。ステップＳ１１においてフィードバック条件に合致すると判断した場合、受信した通話の復号結果であるＡｃｋ／Ｎａｃｋを送信し（ステップＳ１８）、合致しない場合は送信しない。ｅＮＢ２０の制御部２１は、フィードバック条件に合致した移動局１０移動局から受信したＡｃｋ／Ｎａｃｋをもとに、通話の再送制御を行う（ステップＳ１９）。
【００４３】
以上説明したように、本実施形態によれば、ｅＮＢが送信する通話等の優先度に基づいて、受話者の優先度に応じた閾値を含むフィードバック条件を設定する。また受話者である移動局が、設定されている自身の優先度を参照し、フィードバック条件に合致すると判断した場合、フィードバック情報を送信し、合致しない場合は送信しない。したがって出動している消防車のグループのように通話の優先度が高いが移動局の無線状態の変動が大きい場合、例えばすべての移動局からフィードバック情報を収集することで通信の中断を防止できる。また上述の構成によれば、通話の優先度が低い場合にはフィードバック情報を送信する移動局の優先度を限定することでフィードバック情報を送信する移動局を減らすことができ、ＰＵＣＣＨの無線リソースの不足を防止できる。
【００４４】
なお、移動局１０が受信品質の変動の大きさを過去の測定値から算出し、変動が大きい場合は変動の大きさを考慮した受信品質（ＣＱＩ）を送信するとしてもよい。図９は第２の実施形態の構成を示すブロック図である。本実施形態の通信システム２の移動局１５は、受信品質の変動の大きさを過去の測定値から算出する変動算出部１６を備える。また、本実施形態のフィードバック要否判断部１７が、変動が予め設定している所定の閾値より大きいか判断し、フィードバック条件に合致していない場合でも、変動が大きいと判断した場合は、フィードバック情報を送信する点で第１の実施形態と異なる。
【００４５】
図１０は図９のフィードバック条件通知後の動作を示すフローチャートである。本実施形態では、第１の実施形態と同様に、ステップＳ８において受話者の優先度に応じたフィードバック条件が受話者である移動局１５に通知され、ステップＳ９において受話者である移動局１５が、通知されたフィードバック条件をフィードバック要否判断部１７に設定する。その後、ｅＮＢ２０がリファレンス信号を送信すると（ステップＳ１０）、受話者である移動局１５がＣＱＩを測定する（ステップＳ１１）が、移動局１５のフィードバック要否判断部１７が、優先度設定部１３に設定されている優先度を参照し、フィードバックを行うか判断する（ステップＳ１２）。
【００４６】
ステップＳ１２においてフィードバック条件に合致すると判断した場合、移動局１５のフィードバック要否判断部１７は、ステップＳ１１において測定したＣＱＩを送信する（ステップＳ１３）。本実施形態では合致しない場合は、さらに変動算出部１６が受信品質の変動の大きさを過去の測定値から算出し変動が予め設定している閾値より大きいか判断する（ステップＳ２０）。変動が閾値より大きくない場合は送信しないが、変動が所定の閾値より大きいと判断した場合は、ステップＳ１３にすすみ、測定したＣＱＩを送信し、ｅＮＢ２０の制御部２１が、フィードバック条件に合致した移動局１５から受信したＣＱＩに基づいてＭＣＳを決定する（ステップＳ１４）。
【００４７】
その後、ｅＮＢ２０の制御部２１は、通話を受話者である移動局１５に対して送信し（ステップＳ１５）、通話を受信した受話者である移動局１５は、通話を復号する（ステップＳ１６）が、移動局１５のフィードバック要否判断部１７が、優先度設定部１３に設定されている優先度を参照し、フィードバックを行うか判断する（ステップＳ１７）。ステップＳ１７においてフィードバック条件に合致すると判断した場合、移動局１５のフィードバック要否判断部１７は、受信した通話の復号結果であるＡｃｋ／Ｎａｃｋを送信する（ステップＳ１８）。
本実施形態では合致しない場合は、さらに変動算出部１６が受信品質の変動の大きさを過去の測定値から算出し変動が予め設定している所定の閾値より大きいか判断する（ステップＳ２０）。変動が閾値より大きくない場合は送信しないが、変動が大きいと判断した場合は、ステップＳ１８にすすみ、受信した通話の復号結果（Ａｃｋ／Ｎａｃｋ）を送信する。ｅＮＢ２０の制御部２１は、フィードバック条件に合致した移動局１５から受信したＡｃｋ／Ｎａｃｋをもとに、通話の再送制御を行う（ステップＳ１９）。
【００４８】
このような構成とすれば、ｅＮＢは、本来は考慮されなかった移動局の無線状態が悪い場合、その悪条件の移動局を考慮してＭＣＳを決定することになるため、通信の中断防止の効果を向上することができる。
【００４９】
また、ＣＱＩの変動が大きい場合にかぎらず、移動局の移動速度が大きい場合は、フィードバック条件に合致していない場合でも、フィードバック情報を送信する構成としてもよい。また、移動局が存在する環境、例えば天候が悪天候である場合には、フィードバック条件に合致していない場合でも、フィードバック情報を送信する構成としてもよい。また、現時間から所定時間前までの間における過去の受信品質（ＣＱＩ）が、フィードバック条件を所定回数超えた場合には、フィードバック条件に合致していない場合でも、フィードバック情報を送信する構成としてもよい。
【００５０】
このような構成としても、第２の実施形態と同様な効果が得られる。
【００５１】
さらに第２の実施形態の変形例として、フィードバック要否判断部１７が、変動が所定の閾値より大きいと判断した場合は、変動を考慮し測定値より低いＣＱＩを予測して送信する構成としてもよい。
【００５２】
図１１は、図９の変形例のＣＱＩ送信の動作を示すフローチャートである。まず受信品質測定部１１が、ｅＮＢ２０からのリファレンス信号を受信しＣＱＩを測定する（ステップＳ２２）。次に変動算出部１６が、ＣＱＩの変動の大きさを過去の測定値から算出する（ステップＳ２３）。そしてフィードバック要否判断部１７が、ＣＱＩの変動が予め設定している所定の閾値より大きいか判断する（ステップＳ２４）。
【００５３】
フィードバック要否判断部１７は、変動が所定の閾値より大きいと判断しなかった場合は、ＣＱＩの測定値をｅＮＢ２０に送信するが（ステップＳ２５）、変動が大きいと判断した場合は、変動を考慮し測定値より低いＣＱＩを予測して送信する（ステップＳ２６）。
【００５４】
このような構成とすれば、ｅＮＢは、移動局の無線状態の変動が大きい場合、測定値より低いＣＱＩに基づいてＭＣＳを決定することになるため、ＣＱＩの測定値を用いるより通信の中断防止の効果を向上することができる。
【００５５】
上述の実施形態の一部又は全部は、以下の付記のようにも記載されうるが、以下には限られない。
（付記１）
移動局と基地局との間で通信を行う通信システムにおいて、
前記基地局は、
前記移動局における受信品質及び受信した通話の復号結果を含むフィードバック情報の送信要否を前記移動局が決定するための条件であるフィードバック条件を、前記通話の優先度に応じて制御するフィードバック条件制御部と、
前記フィードバック情報に基づき前記移動局との通信の制御を行う制御部と、を有し、
前記移動局は、
自身の優先度を設定する優先度設定部と、
基地局から送信されたリファレンス信号の受信品質を測定する受信品質測定部と、
前記フィードバック条件を前記基地局から受信し、前記フィードバック条件に基づいて前記フィードバック情報の送信要否を判断するフィードバック要否判断部と、を有する、
通信システム。
（付記２）
優先度を、Ａｃｃｅｓｓ  Ｃｌａｓｓ、Ｐａｒｔｉｃｉｐａｎｔ  ｔｙｐｅ、Ｅｍｅｒｇｅｎｃｙ  Ｉｎｄｉｃａｔｏｒのすくなくとのいずれかひとつを含む情報とすることを特徴とする付記１に記載の通信システム。
（付記３）
移動局における受信品質及び受信した通話の復号結果を含むフィードバック情報の送信要否を前記移動局が決定するための条件であるフィードバック条件を、前記通話の優先度に応じて制御するフィードバック条件制御部と、
前記フィードバック情報に基づき前記移動局との通信の制御を行う制御部と、
を有する基地局。
（付記４）
前記フィードバック条件は、前記移動局の優先度に対し前記フィードバック情報の送信要否を示す、付記３に記載の基地局。
（付記５）
前記フィードバック条件制御部は、送話者である移動局の優先度に応じて前記フィードバック条件を制御する、付記３又は４に記載の基地局。
（付記６）
自身の優先度を設定する優先度設定部と、
基地局から送信されたリファレンス信号の受信品質を測定する受信品質測定部と、
前記受信品質及び受信した通話の復号結果を含むフィードバック情報を送信するかを決定するための条件であるフィードバック条件を前記基地局から受信し、前記フィードバック条件に基づいて前記フィードバック情報の送信要否を判断するフィードバック要否判断部と、
を有する移動局。
（付記７）
前記受信品質の変動の大きさを算出する変動算出部を有し、
前記フィードバック要否判断部は、前記変動の大きさを考慮して前記フィードバック情報の送信要否を判断する、付記６に記載の移動局。
（付記８）
前記フィードバック要否判断部は、前記フィードバック条件に合致しない場合でも、前記変動の大きさが所定の閾値より大きい場合には前記フィードバック情報を送信する、付記７に記載の移動局。
（付記９）
前記変動算出部は、前記移動局の移動速度を算出し、
前記フィードバック要否判断部は、前記移動速度を考慮して前記フィードバック情報の送信要否を判断する、付記６から８のいずれかに記載の移動局。
（付記１０）
移動局における受信品質及び受信した通話の復号結果を含むフィードバック情報の送信要否を前記移動局が決定するための条件であるフィードバック条件を、前記通話の優先度に応じて制御し、前記フィードバック情報に基づき前記移動局との通信の制御を行う、
基地局の通信方法。
（付記１１）
自身の優先度を設定し、
基地局から送信されたリファレンス信号の受信品質を測定し、
前記受信品質及び受信した通話の復号結果を含むフィードバック情報の送信要否を決定するための条件であるフィードバック条件を前記基地局から受信し、前記フィードバック条件に基づいて前記フィードバック情報の送信要否を判断する、
移動局の通信方法。
【００５６】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５７】
この出願は、２０１７年１月２５日に出願された日本出願特願２０１７−０１１２１８を基礎とする優先権を主張し、その開示の全てをここに取り込む。
【符号の説明】
【００５８】
１、２    通信システム
１０、１５    移動局
２０    ｅＮＢ
１１    受信品質測定部
１２、１７    フィードバック要否判断部
１３    優先度設定部
１６    変動算出部
２１    制御部
２２    フィードバック条件制御部
【図１】
2018139365.tif 000003
【図２】
2018139365.tif 000004
【図３】
2018139365.tif 000005
【図４】
2018139365.tif 000006
【図５】
2018139365.tif 000007
【図６】
2018139365.tif 000008
【図７】
2018139365.tif 000009
【図８】
2018139365.tif 000010
【図９】
2018139365.tif 000011
【図１０】
2018139365.tif 000012
【図１１】
2018139365.tif 000013
【国際調査報告】
2018139365.tif 000014
2018139365.tif 000015